【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
芳香剤を充填する充填領域を有するカートリッジと、
前記カートリッジをスライド可能に収容するケースとを備え、
前記ケースは収容した前記カートリッジの充填領域を外部に露出するための透孔を有し、
前記カートリッジは、スライド範囲の第１の位置において前記充填領域が前記透孔に重なる重畳面積がゼロであり、前記スライド範囲の第２の位置において前記重畳面積が最大となり、前記スライド範囲内で前記カートリッジがスライドすることにより前記重畳面積が段階的またはほぼ連続的に変化する香り発生装置。
【請求項２】
前記カートリッジは、前記充填領域を定める凹部と、前記凹部に収容され、芳香剤を内部に含浸する含浸部材とを有する請求項１に記載の香り発生装置。
【請求項３】
前記カートリッジが前記ケースに収容された状態で、前記カートリッジの前記凹部の周囲の表面が前記ケースの内壁に接触し、前記凹部に収容された含浸部材が前記ケースの内壁から離間した状態にある請求項２に記載の香り発生装置。
【請求項４】
前記含浸部材は繊維または多孔性部材で形成されたシートで構成された請求項２または３に記載の香り発生装置。
【請求項５】
少なくとも前記第１および第２の位置ならびにその中間の位置で、前記カートリッジは前記ケースの内部に完全に収容されている請求項１に記載の香り発生装置。
【請求項６】
前記カートリッジおよび前記ケースの少なくとも一方は剛性、耐水性、耐久性のある材料で構成された請求項１〜５のいずれかに記載の香り発生装置。
【請求項７】
前記カートリッジと前記ケースとの間の相対的なスライド動作は直線に沿って行われる動作である請求項１〜６のいずれかに記載の香り発生装置。
【請求項８】
前記カートリッジはカード状の形状を有し、前記ケースは一端に前記カートリッジを挿入する挿入口を有するカードケース状の形状を有する請求項７に記載の香り発生装置。
【請求項９】
前記ケースの裏面に、前記カートリッジを前記第１および第２の位置の間でスライド操作するための操作用開口を有する請求項８に記載の香り発生装置。
【請求項１０】
少なくとも前記操作用開口に現れうる前記カートリッジの裏面領域において、摩擦係数を増加させる表面加工が施されている請求項８または９に記載の香り発生装置。
【請求項１１】
前記ケースはほぼクレジットカードサイズである請求項８〜１０のいずれかに記載の香り発生装置。
【請求項１２】
前記ケースに対してカートリッジの表裏を逆に挿入する誤挿入を防止する誤挿入防止手段を備えた請求項８〜１１のいずれかに記載の香り発生装置。
【請求項１３】
前記カートリッジと前記ケースとの間の相対的なスライド動作は前記ケースに対する前記カートリッジの回転によって行われる請求項１〜６のいずれかに記載の香り発生装置。
【請求項１４】
円盤型の香り発生装置であって、
前記ケースはほぼ円形の受け皿状の基部により構成され、その底部に透孔を有し、
前記カートリッジは前記基部に嵌合するほぼ円形の蓋部により構成され、
前記蓋部にはその内側の偏心した領域に前記充填領域を定める凹部が設けられ、
前記凹部に、芳香剤を内部に含浸する含浸部材が収容される
請求項１３に記載の香り発生装置。
【請求項１５】
円筒型の香り発生装置であって、
前記ケースは有底の円筒形状を有するとともにその周面に透孔を有し、
前記カートリッジは前記ケースに収容される円筒状の頭部および半円筒状の樋状凹部を有し、
前記樋状凹部に芳香剤を内部に含浸する含浸部材が収容される
請求項１３に記載の香り発生装置。
【請求項１６】
前記含浸部材は、前記樋状凹部に収容されるほぼ円筒形状または半円筒形状を有する部材である請求項１５に記載の香り発生装置。
【請求項１７】
前記含浸部材は、前記樋状凹部に収容される帯状の形状を有する請求項１５に記載の香り発生装置。
【請求項１８】
芳香剤を充填する充填領域としての凹部を有する本体部と、
前記凹部に収容され芳香剤を内部に含浸する含浸部材とを備え、
前記含浸部材の厚さは、前記本体部の凹部の深さより小さく設定されている
香り発生装置用カートリッジ。
【請求項１９】
前記本体部は金属またはセラミックで構成され、前記含浸部材は金属繊維または多孔性のセラミックで構成された請求項１８に記載の香り発生装置用カートリッジ。
【手続補正２】
【補正対象書類名】明細書
【補正対象項目名】００３８
【補正方法】変更
【補正の内容】
【００３８】
カートリッジ２０には、図１（ｃ）によく表れるように、その板状の本体部の一面のほぼ全面に亘って充填領域を定める所定の深さを有する凹部２１が形成されている。この凹部２１に、液状または霧状の芳香剤を内部に含浸する含浸部材２２が固定配置される。その固定の方法は嵌着、接着、圧着等、任意である。
【手続補正３】
【補正対象書類名】明細書
【補正対象項目名】００７４
【補正方法】変更
【補正の内容】
【００７４】
図１８（ａ）（ｂ）は、それぞれ、カートリッジとしての蓋部１１０の部品の分解斜視図、および、蓋部１１０の斜視図を示す。図１８（ａ）から分かるように、蓋部１１０を構成するカートリッジ本体部の裏面（内側の面）には、ほぼ半月状の凹部１１１が設けられている。図１８（ｂ）に示すように、この凹部１１１にほぼ同サイズ・同形状の含浸部材１１２が収容される。収容された含浸部材１１２の厚さは凹部１１１の深さより小さい。含浸部材１１２は第１の実施の形態と同様の含浸シートを使用することができる。
【手続補正４】
【補正対象書類名】明細書
【補正対象項目名】００８６
【補正方法】変更
【補正の内容】
【００８６】
図２５は、香り発生装置２００のカートリッジ２２０の外観を示す斜視図である。図２５（ａ）は、第３の実施の形態における含浸部材２２２の一例の外観を示し、図２５（ｂ）（ｃ）はカートリッジ２２０の本体部２２３を異なる視点から見た斜視図である。カートリッジ２２０は、ケース２１０とほぼ同一径の比較的短い円筒状頭部２２１と、この頭部２２１につながる小径円筒部２２４を有する。小径円筒部２２４の径は、ケース２１０の内径とほぼ同じであり、底部２２７を有する。小径円筒部２２４は、また、その長手方向に亘って筒のほぼ半分が切除された樋状凹部２２６を有する。カートリッジ２２０の含浸部材２２２は、カートリッジ２２０の樋状凹部２２６の湾曲した凹部内壁に沿って配置されるほぼ円筒形状を有する。円筒形状の含浸部材２２２の外径は、樋状凹部２２６の内径と同じかこれより若干小さい。含浸部材２２２は第１の実施の形態と同様の含浸シートを使用することができる。
【手続補正５】
【補正対象書類名】明細書
【補正対象項目名】００８８
【補正方法】変更
【補正の内容】
【００８８】
図２６は、カートリッジ２２０の構成例を示す。図２６（ａ）は、円筒状の含浸部材２２２が樋状凹部２２６の内部空間に収容された様子を示している。含浸部材２２２の長手方向の両端部はカートリッジ２２０の両端の小径円筒部２２４により位置決め固定される。図２６（ｂ）は図２６（ａ）のＨ−Ｈ線矢視断面図である。この状態で、上記のように円筒形状の含浸部材２２２の外径は、樋状凹部２２６の内径と同じかこれより若干小さいので、ケース内に収容された状態で含浸部材２２２はケース２１０の内壁に接触することがない。